Podtech/llm-jp-corpus-v4-ja_patent huggingface dataset:
【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
線維性生体材料のマトリクスおよび該マトリクス材料に付着させられる流体吸収性の粒状材料の粒子を含む、多孔性止血スポンジ。
【請求項２】
前記線維性生体材料は、コラーゲンを含む、請求項１に記載のスポンジ。
【請求項３】
前記粒状材料は、止血材料である、請求項１に記載のスポンジ。
【請求項４】
前記粒状材料は、架橋ポリマーである、請求項３に記載のスポンジ。
【請求項５】
前記粒状材料は、ゼラチン、フィブリン、コラーゲンもしくはこれらの任意の混合物を含む、請求項３に記載のスポンジ。
【請求項６】
トロンビンもしくはトロンビン前駆物質をさらに含む、請求項１に記載のスポンジ。
【請求項７】
接着剤層をさらに含む、請求項１に記載のスポンジ。
【請求項８】
前記接着剤層は、生体吸収性ポリマーを含む、請求項７に記載のスポンジ。
【請求項９】
前記接着剤は、第１の架橋可能な成分、反応を可能にする条件下で該第１の架橋可能な成分と架橋する第２の架橋可能な成分を含む、請求項７に記載のスポンジ。
【請求項１０】
前記第１の架橋可能な成分および／もしくは第２の架橋可能な成分は、ＰＥＧもしくはその誘導体を含む、請求項９に記載のスポンジ。
【請求項１１】
前記接着剤は、スクシンイミジル基もしくはマレイミジル基およびチオール基もしくはアミノ基を含む、請求項７に記載のスポンジ。
【請求項１２】
前記接着剤層は、前記スポンジの少なくとも一方の側面上に不連続にコーティングされている、請求項７に記載のスポンジ。
【請求項１３】
凍結乾燥もしくは風乾されている、請求項１に記載のスポンジ。
【請求項１４】
前記マトリクス材料より大きな引張り強さを有する支持層を含む、請求項１に記載のスポンジ。
【請求項１５】
前記支持層は、生体吸収性ポリマーを含む、請求項１４に記載のスポンジ。
【請求項１６】
前記支持層は、前記マトリクス材料より高い密度を有する、請求項１４に記載のスポンジ。
【請求項１７】
多孔性止血スポンジを製造するための方法であって、該方法は、線維性生体材料の流体および流体吸収性の粒状材料の懸濁された粒子を提供する工程、ならびに該流体と該懸濁された粒子とを乾燥させ、それによって、線維性生体材料のマトリクスおよび該マトリクス材料に付着させられる流体吸収性の粒状材料の粒子を含む多孔性止血スポンジを得る工程、を含む、方法。
【請求項１８】
請求項１７に記載の方法によって得ることができる、多孔性止血スポンジ。
【請求項１９】
傷害を処置するための多孔性止血スポンジであって、線維性生体材料のマトリクスおよび該マトリクス材料に付着させられる流体吸収性の粒状材料を含み、該多孔性止血スポンジは、傷害の部位に施されることを特徴とする、多孔性止血スポンジ。
【請求項２０】
前記傷害は、創傷、出血、損傷組織および／もしくは出血組織を含む、請求項１９に記載の多孔性止血スポンジ。
【手続補正２】
【補正対象書類名】明細書
【補正対象項目名】００１２
【補正方法】変更
【補正の内容】
【００１２】
当業者は、以下で開示される全ての好ましい実施形態が、具体的実施形態の例であるが、一般的な本発明の概念を必ずしも限定しないことを容易に理解する。さらに、全ての特別な実施形態は、実質的に排他的ではないとしても、任意の組み合わせにおいて全ての本発明の局面および実施形態に対して読まれ得る。当業者に認識されるように、全ての等価
物もしくは自明な変更もしくは改変は、本発明によって含まれる。
例えば、本発明は以下の項目を提供する。
（項目１）
線維性生体材料のマトリクスおよび該マトリクス材料に付着させられる流体吸収性の粒状材料の粒子を含む、多孔性止血スポンジ。
（項目２）
前記線維性生体材料は、コラーゲンを含む、項目１に記載のスポンジ。
（項目３）
前記粒状材料は、止血材料である、項目１に記載のスポンジ。
（項目４）
前記粒状材料は、架橋ポリマーである、項目３に記載のスポンジ。
（項目５）
前記粒状材料は、ゼラチン、フィブリン、コラーゲンもしくはこれらの任意の混合物を含む、項目３に記載のスポンジ。
（項目６）
トロンビンもしくはトロンビン前駆物質をさらに含む、項目１に記載のスポンジ。
（項目７）
接着剤層をさらに含む、項目１に記載のスポンジ。
（項目８）
前記接着剤層は、生体吸収性ポリマーを含む、項目７に記載のスポンジ。
（項目９）
前記接着剤は、第１の架橋可能な成分、反応を可能にする条件下で該第１の架橋可能な成分と架橋する第２の架橋可能な成分を含む、項目７に記載のスポンジ。
（項目１０）
前記第１の架橋可能な成分および／もしくは第２の架橋可能な成分は、ＰＥＧもしくはその誘導体を含む、項目９に記載のスポンジ。
（項目１１）
前記接着剤は、スクシンイミジル基もしくはマレイミジル基およびチオール基もしくはアミノ基を含む、項目７に記載のスポンジ。
（項目１２）
前記接着剤層は、前記スポンジの少なくとも一方の側面上に不連続にコーティングされている、項目７に記載のスポンジ。
（項目１３）
凍結乾燥もしくは風乾されている、項目１に記載のスポンジ。
（項目１４）
前記マトリクス材料より大きな引張り強さを有する支持層を含む、項目１に記載のスポンジ。
（項目１５）
前記支持層は、生体吸収性ポリマーを含む、項目１４に記載のスポンジ。
（項目１６）
前記支持層は、前記マトリクス材料より高い密度を有する、項目１４に記載のスポンジ。
（項目１７）
多孔性止血スポンジを製造するための方法であって、該方法は、線維性生体材料の流体および流体吸収性の粒状材料の懸濁された粒子を提供する工程、ならびに該流体と該懸濁された粒子とを乾燥させ、それによって、線維性生体材料のマトリクスおよび該マトリクス材料に付着させられる流体吸収性の粒状材料の粒子を含む多孔性止血スポンジを得る工程、を含む、方法。
（項目１８）
項目１７に記載の方法によって得ることができる、多孔性止血スポンジ。
（項目１９）
傷害を処置するための方法であって、該方法は、線維性生体材料のマトリクスおよび該マトリクス材料に付着させられる流体吸収性の粒状材料を含む多孔性止血スポンジを、傷害の部位に施す工程を包含する、方法。
（項目２０）
前記傷害は、創傷、出血、損傷組織および／もしくは出血組織を含む、項目１９に記載の方法。
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
（ａ）裏材層であって、第１の主表面及び第２の主表面と、前記裏材層を貫通する開口部とを有する、柔軟性のある裏材層と、
（ｂ）前記裏材層の前記第１の主表面の少なくとも一部にコーティングされた感圧性接着剤と、
（ｃ）前記裏材層の前記第２の主表面の少なくとも一部に解放可能に取り付けられたキャリアと、
（ｄ）第１の平面と、前記第１の平面に対して０度〜１８０度の間で角度をなして形成される少なくとも１つの側壁と、フランジの形態で前記少なくとも側壁に接続される第２の平面と、を含む自己支持基材と、を含み、
前記自己支持基材が前記裏材層に取り付けられて、前記裏材層を貫通して窓を形成する前記開口部を取り囲む、接着性医療用物品。
【請求項２】
医療用物品の組み立て方法であって、
（ａ）裏材層を提供することであって、
第１の主表面及び第２の主表面と、前記裏材層を貫通して窓を形成する開口部と、を有する柔軟性のある裏材層と、
前記裏材層の前記第１の主表面の少なくとも一部にコーティングされた第１の接着剤と、
前記裏材層の前記第２の主表面の少なくとも一部に解放可能に取り付けられたキャリアと、
前記裏材層の前記第２の主表面の、前記窓の外辺部に近接した少なくとも一部にコーティングされた第２の接着剤と、
前記第２の接着剤に解放可能に貼り合わされたライナーと、を含む、裏材層を提供することと、
（ｂ）第１の平面と、前記第１の平面に対して０度〜１８０度の間で角度をなして形成される少なくとも１つの側壁と、フランジの形態で前記少なくとも側壁に接続される第２の平面と、を含む自己支持基材を提供することと、
（ｃ）前記裏材層の前記窓を取り囲むように、前記裏材層の前記第２の接着剤に前記自己支持基材を取り付けることと、を含む、医療用物品の組み立て方法。
【誤訳訂正書】
【提出日】平成25年4月16日(2013.4.16)
【誤訳訂正１】
【訂正対象書類名】明細書
【訂正対象項目名】００３９
【訂正方法】変更
【訂正の内容】
【００３９】
スライダー本体１０２が適切に動作するのを助ける別の機構は、ファスナー軌道１０８上の第１の務歯として、傾斜が付けられた（ｔａｐｅｒｅｄ）、または幅および高さが狭く形成された（ｎａｒｒｏｗｅｄ）ものを使用することである。前記傾斜が付けられた（ｔａｐｅｒｅｄ）形状により、前記スライダーの前記務歯に対する係合がより容易になる。また、スライダー本体１０２は、前記第１の務歯が前記スライダーと係合するのを容易にする引込みエレメント（図示せず）を具備するように修正することも可能であり、或いは前記反対側のファスナー軌道と相互係動する前記上端エッジ部に、より広い幅の開口部を有するように修正することも可能である。
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
高周波誘導噴霧装置において、ハウジングと、噴霧コア（１）、前記ハウジングの中に取り付けられた高周波発生器（６）、及び前記ハウジングの中に取り付けられた電源（１０）と、を備えていて、前記高周波発生器（６）は、電気的に前記電源（１０）に接続され、前記高周波発生器（６）は、通気孔（５）を備えていて、高周波コイル（３）は、前記高周波発生器（６）の上に設けられていて、前記ハウジングの中に取り付けられる前記噴霧コア（１）は、前記高周波コイル（３）の中へ挿入され、間隙が、前記噴霧コア（１）と前記高周波コイル（３）との間に通気道として形成され、吸込孔（１６）は、前記ハウジングの吸入部端に形成され、吸気孔（９）は、前記ハウジングに形成される、ことを特徴とする、高周波誘導噴霧装置。
【請求項２】
前記ハウジングは、ホルダー（１７）を有しており、前記噴霧コア（１）の一方の端部は、前記ホルダー（１７）に取り外し可能に取り付けられていて、前記他方の端部は、前記高周波コイル（３）の中へ挿入される、ことを特徴とする、請求項１に記載の高周波誘導噴霧装置。
【請求項３】
前記ハウジングは、前記噴霧コア（１）と前記吸込孔（１６）との間にある液体貯蔵構成要素（１４）を更に備えていて、前記噴霧コア（１）の一方の端部は、前記液体貯蔵構成要素（１４）に接続され、前記他方の端部は、前記高周波コイル（３）の中へ挿入され、前記通気孔（５）及び前記吸込孔（１６）につながっている通気道（１２）は、前記液体貯蔵構成要素（１４）と前記ハウジングの内壁との間に形成されている、ことを特徴とする、請求項１に記載の高周波誘導噴霧装置。
【請求項４】
前記液体貯蔵構成要素（１４）は、細孔セラミック、発泡セラミック、天然繊維、化学繊維又は発泡金属材料から作られている、ことを特徴とする、請求項３に記載の高周波誘導噴霧装置。
【請求項５】
前記液体貯蔵構成要素（１４）又は前記噴霧コア（１）の中の噴霧液体は、重量パーセントで、６０−９５％のプロピレングリコール、１−３０％のグリセロール及び残りのパーセントの芳香精油で構成されている、ことを特徴とする、請求項３に記載の高周波誘導噴霧装置。
【請求項６】
環状フェライト（４）は、前記高周波コイル（３）の外側に設置され、前記高周波コイル（３）は、前記環状フェライト（４）を介して前記高周波発生器（６）に取り付けられている、ことを特徴とする、請求項１又は請求項３に記載の高周波誘導噴霧装置。
【請求項７】
密閉螺旋ヒーター（２）は、前記噴霧コア（１）の外側に配置され、前記噴霧コア（１）は、炭素繊維、ステンレス鋼繊維又は発泡金属から作られている、ことを特徴とする、請求項１又は請求項３に記載の高周波誘導噴霧装置。
【請求項８】
前記電源（１０）に電気的に接続されている表示灯（１１）は、前記ハウジングと前記電源（１０）との間に配置されていて、前記電源（１０）は、再充電可能又は使い捨て電池である、ことを特徴とする、請求項１又は請求項３に記載の高周波誘導噴霧装置。
【請求項９】
前記ハウジングは、第１のハウジング（１３）と第２のハウジング（１８）を含んでいて、前記第２のハウジング（１８）の一方の端部は、プラギングで前記第１のハウジングと取り外し可能に連結されていて、前記第２のハウジング（１８）の前記他方の端部には、前記吸込孔（１６）が設けられていて、前記電源（１０）、センサー（７）及び前記高周波発生器（６）は、前記第１のハウジング（１３）に配置されていて、前記高周波発生器（６）は、前記センサー（７）の一方の側にあり、前記吸気孔（９）は、前記センサー（７）の前記他方の側の前記第１のハウジング（１３）上に形成されていて、前記センサー（７）は、空気流センサー又は空気圧センサーを含んでいる、ことを特徴とする、請求項１又は請求項３に記載の高周波誘導噴霧装置。
【請求項１０】
前記高周波発生器（６）は、１ＭＨｚ−９６０ＭＨｚの作動周波数のプッシュプル出力回路を含んでいる、ことを特徴とする、請求項１又は請求項３に記載の高周波誘導噴霧装置。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
グラウトを清掃するための用具であって、
２つの対向する主表面と、前記対向する主表面によって画定される少なくとも３つの縁部表面と、を有する不織布ウェブと、
前記不織布ウェブの一部を受け入れるためのスロットを有する握り部と、を含み、
前記不織布ウェブが、前記握り部の外辺部を超えて前記ウェブが延在するように前記スロットに挿入される、用具。
【請求項２】
前記握り部が多孔質である、請求項１に記載の用具。
【請求項３】
前記不織布ウェブが天然繊維を含む、請求項１に記載の用具。
【請求項４】
前記握り部が、前記不織布ウェブの対向する各主表面の表面積の少なくとも半分を被覆する、請求項１に記載の用具。
【請求項５】
前記用具の側面視については、前記用具の外辺部が台形形状を有する、請求項１に記載の用具。
【請求項６】
前記用具の側面視については、前記用具の外辺部が二等辺三角形の形状を有する、請求項１に記載の用具。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
以下の成分：
モノマーの全質量に対して３０〜９０質量％の、アクリル酸及び／又はメタクリル酸のＣ1〜Ｃ24−アルキルエステル、アクリル酸、メタクリル酸、マレイン酸、フマル酸及びイタコン酸を含む群からの１種以上のモノマー（モノマーＩ）、
モノマーの全質量に対して１０〜７０質量％の、１種以上のエチレン性不飽和の架橋剤（モノマーＩＩ）、その際、モノマーＩ、ＩＩ及びＩＩＩの全質量に対して少なくとも１０質量％は、高分岐型ポリマー架橋剤である、
モノマーの全質量に対して０〜３０質量％の、前記モノマーＩとは異なる、１種以上の一不飽和モノマー（モノマーＩＩＩ）、
並びに疎水性のコア材料を含有する水中油型エマルジョンのラジカル重合を含む方法により得られる、カプセルコアとカプセル壁とを含むマイクロカプセル。
【請求項２】
高分岐型のポリマー架橋剤が、０．１〜１０モル／ｋｇの二重結合含有率を有する超分岐型のポリマーであることを特徴とする、請求項１に記載のマイクロカプセル。
【請求項３】
高分岐型のポリマー架橋剤が、重付加生成物又は重縮合生成物であることを特徴とする、請求項１又は２に記載のマイクロカプセル。
【請求項４】
高分岐型の架橋剤が、ポリカーボネート、ポリエステル、ポリエーテル、ポリウレタン、ポリ尿素、ポリアミド並びにその混合形、例えばポリ（尿素ウレタン）、ポリ（エーテルアミン）、ポリ（エステルアミン）、ポリ（エーテルアミド）、ポリ（エステルアミド）、ポリ（アミドアミン）、ポリ（エステルカーボネート）、ポリ（エーテルカーボネート）、ポリ（エーテルエステル）及びポリ（エーテルエステルカーボネート）のクラスからのポリマーであることを特徴とする、請求項１から３までのいずれか１項に記載のマイクロカプセル。
【請求項５】
高分岐型の架橋剤が、ポリエステル、ポリカーボネート及び／又はポリウレタンのクラスからのポリマーであることを特徴とする、請求項１から４までのいずれか１項に記載のマイクロカプセル。
【請求項６】
水中油型エマルジョンが、以下の成分：
モノマーの全質量に対して４０〜７０質量％の、アクリル酸及び／又はメタクリル酸のＣ1〜Ｃ24−アルキルエステル、アクリル酸、メタクリル酸、マレイン酸、フマル酸及びイタコン酸を含む群からの１種以上のモノマー（モノマーＩ）、
モノマーの全質量に対して３０〜６０質量％の、１種以上のエチレン性不飽和の架橋剤（モノマーＩＩ）、その際、モノマーＩ、ＩＩ及びＩＩＩの全質量に対して少なくとも３０質量％は、高分岐型ポリマー架橋剤である、
モノマーの全質量に対して０〜３０質量％の、前記モノマーＩとは異なる、１種以上の一不飽和モノマー（モノマーＩＩＩ）、
並びに疎水性のコア材料を含有することを特徴とする、請求項１から５までのいずれか１項に記載のマイクロカプセル。
【請求項７】
１種以上の保護コロイドの存在下での水中油型エマルジョンのラジカル重合を含む方法により得られる、請求項１から６までのいずれか１項に記載のマイクロカプセル。
【請求項８】
保護コロイドとして、ポリビニルアルコール、部分加水分解されたポリビニルアセテート及び／又はメチルヒドロキシ−Ｃ1〜Ｃ4−アルキルセルロースが使用されることを特徴とする、請求項７に記載のマイクロカプセルの分散液。
【請求項９】
疎水性のコア材料が、脂肪族の及び芳香族の炭化水素化合物、飽和の又は不飽和のＣ6〜Ｃ30−脂肪酸、脂肪アルコール、Ｃ6〜Ｃ30−脂肪アミン、Ｃ4〜Ｃ30−モノ−、Ｃ4〜Ｃ30−ジ−及びＣ4〜Ｃ30−ポリエステル、第一級の、第二級のもしくは第三級のＣ4〜Ｃ30−カルボン酸アミド、脂肪酸エステル、天然ロウ及び合成ロウ、ハロゲン化された炭化水素、天然油、Ｃ3〜Ｃ20−ケトン、Ｃ3〜Ｃ20−アルデヒド、架橋剤、接着樹脂及び粘着性にする樹脂、におい物質及び芳香物質、作用物質、着色物質、顕色剤、触媒及び抑制剤から選択されることを特徴とする、請求項１から５までのいずれか１項に記載のマイクロカプセル。
【請求項１０】
水性分散液の形の、請求項１から９までのいずれか１項に記載のマイクロカプセル。
【請求項１１】
水性分散液の噴霧乾燥によって得られることを特徴とする、請求項１から１０までのいずれか１項に記載のマイクロカプセル。
【請求項１２】
請求項１から１１までのいずれか１項に記載のマイクロカプセルの製造方法であって、モノマーと、疎水性のコア材料と、場合により１種以上の保護コロイドとを含有する水中油型エマルジョンのラジカル重合を含む前記製造方法。
【請求項１３】
請求項１から１１までのいずれか１項に記載のマイクロカプセルを、複写用紙のために、化粧品において、化学合成において又は植物保護において用いる使用。
【請求項１４】
架橋剤としてグループｐ）のコア材料を有する請求項１から１１までのいずれか１項に記載のマイクロカプセルを、接着剤、塗装、塗料、紙用塗被材又はその他のコーティング剤もしくは含浸剤において用いる使用。
【請求項１５】
請求項１から１１までのいずれか１項に記載のマイクロカプセルを、潜熱蓄熱材として用いる使用。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
バイオチャネルを有するバルク液膜（BLM）、バイオチャネルを有する乳化型液膜（ELM）、またはバイオチャネルを有する支持（固定化）液膜（SLM）の形をとる液膜系であって、この液膜系は、バイオチャネルが組み込まれた二分子膜を形成する、1つもしくは複数の両親媒性脂質から形成されるベシクルを含んでなり、該液膜系はスクアレン、スクアランまたはその混合物を含む安定化油相をさらに含む、前記液膜系。
【請求項２】
バイオチャネルがアクアポリン水チャネルである、請求項１に記載の液膜系。
【請求項３】
バイオチャネルが、窒化ホウ素ナノチューブ、カーボンナノチューブ、ならびに、膜透過チャネル分子であるαヘモリシンおよびOmpG、FomA、およびVDACなどのβバレル孔、膜貫通ペプチド孔であるアラメチシン、バリノマイシン、グラミシジンAおよびその誘導体、および合成ペプチド、イオンチャネルおよびイオン選択的イオノホアを含む両親媒性ポア形成分子からなる群より選択される、請求項１に記載の液膜系。
【請求項４】
該両親媒性化合物が脂質である、請求項１〜３のいずれか１項に記載の液膜系。
【請求項５】
バイオチャネルが、ベシクル表面積と比較して1%〜約70%の比率で存在する、請求項１〜４のいずれか1つに記載の液膜系。
【請求項６】
コンタクターモジュールに含まれるまたはコンタクターモジュール中に固定化されている、請求項１〜５のいずれか1つに記載の液膜系。
【請求項７】
コンタクターモジュールが、フラットシートモジュール、中空糸分離モジュール、およびらせん状に巻かれた分離モジュールからなる群より選択される、請求項６に記載の液膜系。
【請求項８】
前記コンタクターモジュールが、２モジュール中空糸支持液膜コンタクターモジュール、または液体セルエキストラフロー膜コンタクターモジュールである、請求項６に記載の液膜系。
【請求項９】
多孔支持層に含まれているまたは固定化されている、請求項１〜８のいずれか１つに記載の液膜系。
【請求項１０】
正浸透により水を液体水性媒体から抽出することのできる、請求項２に記載の液膜系。
【請求項１１】
液体媒体が塩水であり、膜系が塩水の脱塩に用いられる、請求項１０に記載の液膜系。
【請求項１２】
正浸透プロセスが塩水をフィード溶液として、およびCO2/NH3水溶液をドロー溶液として利用し、溶解したCO2およびNH3ガスの除去が約58℃での加熱により行われる、請求項１０に記載の液膜系。
【請求項１３】
水が純粋である、請求項１０に記載の液膜系。
【請求項１４】
該液体媒体が、血液透析に起因する透析液であり、該膜系が血液透析に起因する透析液からの水の再抽出に使用される、請求項２に記載の液膜系。
【請求項１５】
該水性液体媒体から純粋を抽出する方法であって、１以上の請求項２に記載の液膜を水性液体媒体と接触させ、それによって正浸透により純粋を抽出することを含む、前記方法。
【請求項１６】
該水性液体媒体が塩水であり、膜系が脱塩に使用される、請求項１５に記載の方法。
【請求項１７】
該正浸透プロセスが塩水をフィード溶液として、およびCO2/NH3水溶液をドロー溶液として利用し、溶解したCO2およびNH3ガスの除去が約58℃での加熱により行われる、請求項１５または請求項１６に記載の方法。
【請求項１８】
該液体媒体が、血液透析に起因する透析液であり、該膜系が血液透析に起因する透析液からの水の再抽出に使用される、請求項１５に記載の方法。
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
乾燥粘土及び乾燥銅源を含有する銅／粘土混合物と、乾燥粘土及び乾燥硫黄源を含有する硫黄／粘土混合物とを混合して、水銀収着媒予備混合物を形成すること、
前記水銀収着媒予備混合物中に自由水が存在しないことにより、銅源と硫黄源の反応を阻害すること、及び、それから、
前記水銀収着媒予備混合物をせん断することにより、水銀収着媒物質を形成することを含む、水銀収着媒物質の製造方法であって、
前記水銀収着媒物質は、４重量％未満の水を含有するとき、層間隔ｄ（００１）が１２Å未満であり、
前記水銀収着媒物質の粉末Ｘ線回折パターンは、２．７３±０．０１Åの回折ピークが実質的に存在せず、
前記水銀収着媒物質のζ電位は、乾燥粘土のζ電位よりも大きい
ことを特徴とする、水銀収着媒物質の製造方法。
【請求項２】
粘土が、乾燥していて、交換性陽イオン及び約１５重量％の水を含有し、
硫黄源が、自由水を実質的に全く有していない硫化物塩を含み、
銅塩が、銅の陽イオン及び銅塩の陰イオンを有し、自由水を実質的に全く有しておらず、
粘土の交換性陽イオンと銅塩の陰イオンとのイオン対化が、銅の陽イオンと銅塩の陰イオンとのイオン対化よりもエンタルピー的に好ましく、
せん断することが発熱性であり、
水銀収着媒物質が、ガス流から水銀を除去することができる
ことを特徴とする、請求項１に記載の水銀収着媒物質の製造方法。
【請求項３】
せん断することが、水銀収着媒予備混合物を押出機に通すことを含むことを特徴とする、請求項１又は２に記載の方法。
【請求項４】
せん断することが、水銀収着媒予備混合物をピンミキサーに通すことを含むことを特徴とする、請求項１〜３のいずれかに記載の方法。
【請求項５】
せん断された水銀収着媒予備混合物が約１５重量％〜約４０重量％の水を含むように、せん断する間に水銀収着媒予備混合物に十分な水を加えることをさらに含む、請求項１〜４のいずれかに記載の方法。
【請求項６】
粘土が、ベントナイト、モンモリロナイト、ヘクトライト、バイデライト、サポナイト、ノントロナイト、ボルコンスコアイト、ソーコナイト、ステベンサイト、フルオロヘクトライト、ラポナイト、レクトナイト、バーミキュライト、イライト、雲母質鉱物、マカタイト、カネマイト、オクトシリケート（イリエライト）、マガディアイト、ケニヤアイト、アタパルジャイト、パリゴルスカイト、セピオライト、及びそれらの混合物からなる群より選択されるフィロケイ酸塩を含むことを特徴とする、請求項１〜５のいずれかに記載の方法。
【請求項７】
粘土が、モンモリロナイトを含むことを特徴とする、請求項１〜６のいずれかに記載の方法。
【請求項８】
銅塩が、酢酸銅、銅アセチルアセトナート、臭化銅、炭酸銅、塩化銅、クロム酸銅、エチルヘキサン酸銅、蟻酸銅、グルコン酸銅、水酸化銅、ヨウ化銅、モリブデン酸銅、硝酸銅、酸化銅、過塩素酸銅、ピロリン酸銅、セレン化銅、硫酸銅、テルル化銅、テトラフルオロホウ酸銅、チオシアン酸銅、トリフルオロメタンスルホン酸銅、銅合金、及びそれらの混合物からなる群より選択される無水銅化合物を含むことを特徴とする、請求項１〜７のいずれかに記載の方法。
【請求項９】
銅塩が、酢酸銅、銅アセチルアセトナート、臭化銅、炭酸銅、塩化銅、クロム酸銅、エチルヘキサン酸銅、蟻酸銅、グルコン酸銅、水酸化銅、ヨウ化銅、モリブデン酸銅、硝酸銅、酸化銅、過塩素酸銅、ピロリン酸銅、セレン化銅、硫酸銅、テルル化銅、テトラフルオロホウ酸銅、チオシアン酸銅、トリフルオロメタンスルホン酸銅、銅合金、及びそれらの混合物からなる群より選択される銅化合物水和物を含むことを特徴とする、請求項１〜８のいずれかに記載の方法。
【請求項１０】
硫黄源が、硫化ナトリウム、硫化ナトリウム三水和物、硫化ナトリウム九水和物、二硫化ナトリウム、多硫化ナトリウム、硫化アンモニウム、二硫化アンモニウム、多硫化アンモニウム、硫化カリウム、二硫化カリウム、多硫化カリウム、多硫化カルシウム、及びそれらの混合物からなる群より選択されることを特徴とする、請求項１〜９のいずれかに記載の方法。
【請求項１１】
硫黄源が、硫化ナトリウム三水和物であることを特徴とする、請求項１０に記載の方法。
【請求項１２】
硫黄源が、硫化水素、二硫化水素、硫化アルミニウム、硫化マグネシウム、チオ酢酸、チオ安息香酸、及びそれらの混合物からなる群より選択されることを特徴とする、請求項１〜１１のいずれかに記載の方法。
【請求項１３】
水銀収着媒物質が、粘土、銅及び硫黄を含み、粉末Ｘ線回折パターンは２．７３±０．０１Åの回折ピークを実質的に有さず、粉末Ｘ線回折により測定される粘土／銅藍複合体を実質的に有さないことを特徴とする、請求項１〜１２のいずれかに記載の方法で製造された水銀収着媒物質。
【請求項１４】
硫化物イオンに対する銅イオンの比が１未満であることを特徴とする、請求項１３に記載の水銀収着媒物質。
【請求項１５】
硫化物イオンに対する銅イオンの比が０．５未満であることを特徴とする、請求項１４に記載の水銀収着媒物質。
【請求項１６】
硫化物イオンに対する銅イオンの比が１よりも大きいことを特徴とする、請求項１３に記載の水銀収着媒物質。
【請求項１７】
硫化物イオンに対する銅イオンの比が２よりも大きいことを特徴とする、請求項１６に記載の水銀収着媒物質。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
Ｆｃドメインまたはそのフラグメントに結合される少なくとも１つのケモカイン結合ペプチドを含む単離されたポリペプチドであって、前記ケモカイン結合ペプチドは、配列番号１〜配列番号１５７からなる群から選択されるアミノ酸配列に対する少なくとも９０％の配列相同性を示すアミノ酸配列を有し、前記ケモカイン結合ペプチドは長さが１０アミノ酸〜２０アミノ酸である、ポリペプチド。
【請求項２】
リンカーをさらに含む、請求項１に記載のポリペプチド。
【請求項３】
前記リンカーは４個〜１０個のアミノ酸から構成される、請求項２に記載のポリペプチド。
【請求項４】
シグナルペプチドをさらに含む、請求項１〜３のいずれかに記載のポリペプチド。
【請求項５】
下記の式を有する、請求項４に記載のポリペプチド：
Ｗ−Ｘ−Ｙ−Ｚ
式中、
Ｗはシグナルペプチドである；
Ｘは前記ケモカイン結合ペプチドである；
Ｙは前記リンカーである；および
Ｚは前記Ｆｃドメインまたはそのフラグメントである。
【請求項６】
前記ケモカイン結合ペプチドは、ＢＫＴ−Ｐ２（配列番号１０１）、ＢＫＴ−Ｐ３（配列番号１００）およびＢＫＴ−Ｐ４６（配列番号７６）からなる群から選択される、請求項１に記載のポリペプチド。
【請求項７】
前記シグナルペプチドは、配列番号１６１に対する少なくとも９０％の配列相同性を示すアミノ酸配列を有するＩＬ−６のシグナルペプチドを含む、請求項４または５に記載のポリペプチド。
【請求項８】
少なくとも１つのケモカインがケモカイン受容体に結合することを阻害できることによって特徴づけられる、請求項１〜７のいずれかに記載のポリペプチド。
【請求項９】
少なくとも１つのケモカインがケモカイン受容体に結合することを強化できることによって特徴づけられる、請求項１〜７のいずれかに記載のポリペプチド。
【請求項１０】
請求項１〜９のいずれかに記載のポリペプチドと、医薬的に許容されるキャリアとを含む医薬組成物。
【請求項１１】
ケモカインの生物学的影響を調節することができることによって特徴づけられる、請求項１〜９のいずれかに記載のポリペプチド。
【請求項１２】
炎症、アレルギー、遅延型過敏症、最適でない免疫応答、異常な細胞遊走、自己免疫反応、関節リウマチ、全身性エリテマトーデス、多発性硬化症、同種移植片拒絶、糖尿病、敗血症、ガン、悪性細胞成長、細菌感染症、ウイルス感染症、関節炎、大腸炎、乾癬、アテローム性動脈硬化、高血圧、重症筋無力症および再灌流虚血からなる群から選択される状態を処置するためのものである、請求項１〜９のいずれかに記載のポリペプチド。
【請求項１３】
請求項１〜９のいずれかに記載のポリペプチドをコードする単離されたポリヌクレオチド。
【請求項１４】
配列番号１６８および配列番号１６９からなる群から選択される核酸配列を有する、請求項１３に記載の単離されたポリヌクレオチド。
【請求項１５】
水溶性ポリマーに結合されている請求項１〜９のいずれかに記載のポリペプチドを含むコンジュゲート。
【請求項１６】
前記水溶性ポリマーはポリエチレングリコールである、請求項１５に記載のコンジュゲート。
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
セルロース系材料からの発酵性糖の水溶液の製造方法であって、前記方法は：
含水酸を用いて前記セルロース系材料を加水分解することにより加水分解物を生成すること；
水混和性有機抽出溶媒を用いて前記加水分解物から酸と水とを抽出し、（ａ）前記抽出溶媒を含有する第１の酸性水溶液と（ｂ）糖を含有する残渣とを得ること；
前記第１の酸性水溶液を水不混和性液体である親油性溶媒と接触させ、第２の酸性水溶液と、前記抽出溶媒および前記液体溶媒の溶媒混合液とを得ること；
前記溶媒混合液を分離し、リサイクルのための抽出溶媒を得ること；および、
リサイクルのため前記第２の酸性水溶液から含水酸を分離することを含む、発酵性糖の水溶液の製造方法。
【請求項２】
前記残渣をオリゴ糖開裂反応に付して発酵性糖の水溶液を得ること；前記発酵性糖を発酵させ、生じた発酵混合液からアルコールを蒸留すること；をさらに含む、請求項１に記載の方法。
【請求項３】
前記残渣を乾燥させ前記糖組成物を得ること；をさらに含む、請求項１に記載の方法。
【請求項４】
前記第２の酸性水溶液が蒸留により分離され、リサイクルのための前記含水酸を得る、請求項１〜３のいずれか一項に記載の方法。
【請求項５】
前記親油性溶媒が、最高８個までの炭素原子を有するハロカーボンまたは炭化水素を含む、請求項１〜４のいずれか一項に記載の方法。
【請求項６】
前記親油性溶媒がペンタン混合液である、請求項５に記載の方法。
【請求項７】
前記抽出溶媒と前記親油性溶媒の１気圧での沸点が、少なくとも１０℃離れている、請求項１〜６のいずれか一項に記載の方法。
【請求項８】
１気圧での前記抽出溶媒の沸点が、前記親油性溶媒より高い、請求項１〜７のいずれか一項に記載の方法。
【請求項９】
請求項１〜８のいずれか一項に記載の方法に使用される装置であって、前記装置は：加水分解反応器；前記反応器から加水分解物を受け取り且つ糖スラリーを排出するように構成された第１のセパレーター；前記第１のセパレーターから抽出溶媒／水混合液を受け取り且つ（ａ）酸性水溶液と（ｂ）抽出溶媒／親油性溶媒混合液とを排出するように構成された第２のセパレーター；前記反応器に酸を供給するように構成された酸貯留器；前記第１のセパレーターに有機抽出溶媒を供給するように構成された抽出溶媒貯留器；前記第２のセパレーターに水不混和性液体である親油性溶媒を供給するように構成された親油性溶媒貯留器；前記第２のセパレーターから抽出溶媒／親油性溶媒混合液を受け取り且つ（ａ）親油性溶媒と（ｂ）抽出溶媒とを排出するように構成された第１の整流器；前記第２のセパレーターから酸性水溶液を受け取り且つ（ａ）濃縮された含水酸と（ｂ）抽出溶媒とを排出するように構成された第２の整流器；および、前記第１のセパレーターまたは抽出溶媒貯留器に抽出溶媒を戻し、凝縮した含水酸を前記反応器または酸貯留器に戻すように構成されたリサイクル用導管を備えている、装置。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
（ａ）全脂肪酸の重量パーセントとして計測して少なくとも５０重量パーセントのエイコサペンタエン酸、
を含む油であって、
（ｂ）前記油は、全脂肪酸の重量パーセントとして計測したエイコサペンタエン酸の、全脂肪酸の重量パーセントとして計測したリノール酸に対する比が少なくとも３．１である、
油を産生する組換えヤロウイア・エスピー（Ｙａｒｒｏｗｉａ  ｓｐ．）宿主細胞。
【請求項２】
エイコサペンタエン酸を含む微生物油の作製方法であって、
ａ）請求項１記載の宿主細胞を培養するステップであって、エイコサペンタエン酸を含む微生物油が産生されるステップと、
ｂ）ステップ（ａ）の前記微生物油を回収してもよいステップと、
を含む方法。
【請求項３】
全脂肪酸の重量パーセントとして計測して少なくとも５０重量パーセントのエイコサペンタエン酸を含む油を産生するための組換え宿主細胞であって、ＡＴＣＣ指定番号ＡＴＣＣ  ＰＴＡ−１００２５を有するヤロウイア・リポリティカ（Ｙａｒｒｏｗｉａ  ｌｉｐｏｌｙｔｉｃａ）Ｙ８４０６；ＡＴＣＣ指定番号ＡＴＣＣ  ＰＴＡ−１００２６を有するヤロウイア・リポリティカ（Ｙａｒｒｏｗｉａ  ｌｉｐｏｌｙｔｉｃａ）Ｙ８４１２；及びＡＴＣＣ指定番号ＡＴＣＣ  ＰＴＡ−１００２７を有するヤロウイア・リポリティカ（Ｙａｒｒｏｗｉａ  ｌｉｐｏｌｙｔｉｃａ）Ｙ８２５９からなる群から選択される宿主細胞。
【手続補正２】
【補正対象書類名】明細書
【補正対象項目名】０４３０
【補正方法】変更
【補正の内容】
【０４３０】
ＬＣ−ＰＵＦＡ生合成の改良（ＬＡ  ％  ＴＦＡの低下、ＥＰＡ  ％  ＴＦＡの増加及びΔ９エロンガーゼ変換効率の増加として計測される）は、複製プラスミド上のヤロウイア・リポリティカ（Ｙａｒｒｏｗｉａ  ｌｉｐｏｌｙｔｉｃａ）Ｙ８４０６株に形質転換されたときのＳｃＬＰＡＡＴＳ及びＹｌＬＰＡＡＴの双方について同程度であるため、双方のＬＰＬＡＡＴとも宿主染色体に安定的に組み込まれた場合には同様に機能し得ると予想される。従って、ＳｃＬＰＡＡＴＳは、宿主染色体に安定的に組み込まれた場合、実施例９での観察と同様に脂質プロファイルを改良する可能性が高い。
本発明の例示的態様を以下に列挙する。
（１）（ａ）全脂肪酸の重量パーセントとして計測して少なくとも５０重量パーセントのエイコサペンタエン酸、
を含む油であって、
（ｂ）前記油は、全脂肪酸の重量パーセントとして計測したエイコサペンタエン酸の、全脂肪酸の重量パーセントとして計測したリノール酸に対する比が少なくとも３．１である、
油を産生する組換えヤロウイア・エスピー（Ｙａｒｒｏｗｉａ  ｓｐ．）宿主細胞。
（２）（ａ）少なくとも１つのΔ８デサチュラーゼに連結された少なくとも１つのΔ９エロンガーゼを有するポリペプチドを含む少なくとも１つのマルチザイムと、
（ｂ）発現が下方制御された少なくとも１つのペルオキシソーム生合成因子タンパク質と、
（ｃ）マロニルＣｏＡシンテターゼ及びアシルＣｏＡリゾリン脂質アシルトランスフェラーゼからなる群から選択される酵素をコードする少なくとも１つのヌクレオチド配列を含む少なくとも１つの組換えコンストラクトと、
を含む、（１）に記載の組換えヤロウイア・エスピー（Ｙａｒｒｏｗｉａ  ｓｐ．）宿主細胞。
（３）前記マロニルＣｏＡシンテターゼが、配列番号４０及び配列番号４２からなる群から選択される配列から本質的になる、（２）に記載の組換え宿主細胞。
（４）前記アシルＣｏＡリゾリン脂質アシルトランスフェラーゼが、配列番号１５、配列番号１７、配列番号２５、配列番号２９、配列番号３１及び配列番号３２からなる群から選択される配列から本質的になる、（２）に記載の組換え宿主細胞。
（５）前記マルチザイムリンカーが、配列番号１、配列番号２、配列番号３、配列番号４、配列番号５、配列番号６及び配列番号７からなる群から選択される、（２）に記載の組換え宿主細胞。
（６）前記マルチザイムが、配列番号９、配列番号１１及び配列番号１３からなる群から選択される配列から本質的になる、（２）に記載の組換え宿主細胞。
（７）エイコサペンタエン酸を含む微生物油の作製方法であって、
ａ）（１）〜（５）のいずれかに記載の宿主細胞を培養するステップであって、エイコサペンタエン酸を含む微生物油が産生されるステップと、
ｂ）ステップ（ａ）の前記微生物油を回収してもよいステップと、
を含む方法。
（８）ステップ（ｂ）の前記回収された油がさらに処理される、（７）に記載の方法。
（９）全脂肪酸の重量パーセントとして計測して少なくとも５０重量パーセントのエイコサペンタエン酸を含む油を産生するための組換え宿主細胞であって、ＡＴＣＣ指定番号ＡＴＣＣ  ＰＴＡ−１００２５を有するヤロウイア・リポリティカ（Ｙａｒｒｏｗｉａ  ｌｉｐｏｌｙｔｉｃａ）Ｙ８４０６；ＡＴＣＣ指定番号ＡＴＣＣ  ＰＴＡ−１００２６を有するヤロウイア・リポリティカ（Ｙａｒｒｏｗｉａ  ｌｉｐｏｌｙｔｉｃａ）Ｙ８４１２；及びＡＴＣＣ指定番号ＡＴＣＣ  ＰＴＡ−１００２７を有するヤロウイア・リポリティカ（Ｙａｒｒｏｗｉａ  ｌｉｐｏｌｙｔｉｃａ）Ｙ８２５９からなる群から選択される宿主細胞。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
ワークピース上にサブピクセル行の規則正しい配列を形成する方法であって、サブピクセルは３つの異なる色を有し、かつサブピクセルピッチｓを有し、ｑ色は印刷により形成され、ｒ色は非印刷方法により形成され、前記方法は、
（１）ノズル間隔ｐを有する行内に配置されたｚ本のノズルを有する印刷ヘッドを設けることであって、ｚ＝３ｎ1であり、ｐ＝２ｓであり、印刷ヘッドはワークピースに対して第１の位置にある、印刷ヘッドを設けること、
（２）ｑ印刷色のそれぞれに１つずつ、ｑ個の異なる印刷インクを提供すること、
（３）規則正しい交互パターンで印刷インクのそれぞれをノズルに供給すること、
（４）印刷ヘッドを使用して、第１の組のｚサブピクセル行を印刷すること、
（５）移動させること、および第１の印刷パターンで印刷することであって、
（ａ）ワークピースを印刷ヘッドに対して距離ｄ1（但し、ｄ1＝３ｎ2ｓである）だけ横方向に移動させること、
（ｂ）印刷ヘッドを使用してｚサブピクセル行の組を印刷すること
を含む、移動させること、および第１の印刷パターンで印刷すること
（６）移動させること、および第２の印刷パターンで印刷することであって、
（ｃ）ワークピースを印刷ヘッドに対して距離ｄ2（但し、ｄ2は、ｄ1＋ｄ2＝ｐｚであるようなｄ2＝３ｎ3ｓである）だけ横方向に移動させること、
（ｄ）印刷ヘッドを使用してｚサブピクセル行の組を印刷すること
を含む、移動させること、および第２の印刷パターンで印刷すること、
（７）ステップ（５）および（６）を同じ順序で複数回繰り返すこと、ならびに
（８）ｒ色を非印刷方法で塗布すること
を含み、
ｎ1は０よりも大きな整数であり、
ｎ2およびｎ3は、ｎ2＋ｎ3＝２ｎ1であるような、同じまたは異なる奇数の整数であり、
ｑは１〜３の整数であり、
ｒはｑ＋ｒ＝３であるような整数である、方法。
【手続補正２】
【補正対象書類名】明細書
【補正対象項目名】０１２４
【補正方法】変更
【補正の内容】
【０１２４】
本明細書では、明確にするために、別個の実施形態の文脈の中で説明された特定の特徴を、単一の実施形態において組み合わせて提供してもよいことを理解されたい。逆に、簡潔にするために、単一の実施形態の文脈の中で説明された様々な特徴を、別個に、または任意の下位組み合わせで提供してもよい。本明細書において指定される様々な範囲での数値の使用は、まるで記載の範囲内の最小値および最大値の両方に言葉「約」が前置されているかのように、概算として述べられる。このようにして、記載される範囲を超えるわずかなばらつきおよび記載される範囲を下回るわずかなばらつきを使用して、それらの範囲内の値と略同じ結果を達成することができる。これらの範囲の開示は、ある値の成分のうちのいくつかが異なる値の成分と混じる場合に生じ得る小数値を含め、最小平均値と最大平均値との間のあらゆる値を含む連続範囲としても意図される。さらに、より広い範囲およびより狭い範囲が開示される場合、一範囲からの最小値を、別の範囲からの最大値に合わせること、そして逆もまた同様に、本発明の意図内である。
本出願は、特許請求の範囲に記載の発明を含め、以下の発明を包含する。
（Ｉ）  ワークピース上にサブピクセル行の規則正しい配列を形成する方法であって、サブピクセルは３つの異なる色を有し、かつサブピクセルピッチｓを有し、ｑ色は印刷により形成され、ｒ色は非印刷方法により形成され、前記方法は、
（１）ノズル間隔ｐを有する行内に配置されたｚ本のノズルを有する印刷ヘッドを設けることであって、ｚ＝３ｎ1であり、ｐ＝２ｓであり、印刷ヘッドはワークピースに対して第１の位置にある、印刷ヘッドを設けること、
（２）ｑ印刷色のそれぞれに１つずつ、ｑ個の異なる印刷インクを提供すること、
（３）規則正しい交互パターンで印刷インクのそれぞれをノズルに供給すること、
（４）印刷ヘッドを使用して、第１の組のｚサブピクセル行を印刷すること、
（５）移動させること、および第１の印刷パターンで印刷することであって、
（ａ）ワークピースを印刷ヘッドに対して距離ｄ1（但し、ｄ1＝３ｎ2ｓである）だけ横方向に移動させること、
（ｂ）印刷ヘッドを使用してｚサブピクセル行の組を印刷すること
を含む、移動させること、および第１の印刷パターンで印刷すること
（６）移動させること、および第２の印刷パターンで印刷することであって、
（ｃ）ワークピースを印刷ヘッドに対して距離ｄ2（但し、ｄ2は、ｄ1＋ｄ2＝ｐｚであるようなｄ2＝３ｎ3ｓである）だけ横方向に移動させること、
（ｄ）印刷ヘッドを使用してｚサブピクセル行の組を印刷すること
を含む、移動させること、および第２の印刷パターンで印刷すること、
（７）ステップ（５）および（６）を同じ順序で複数回繰り返すこと、ならびに
（８）ｒ色を非印刷方法で塗布すること
を含み、
ｎ1は０よりも大きな整数であり、
ｎ2およびｎ3は、ｎ2＋ｎ3＝２ｎ1であるような、同じまたは異なる奇数の整数であり、
ｑは１〜３の整数であり、
ｒはｑ＋ｒ＝３であるような整数である、方法。
（ＩＩ）  ｑ＝３である、（Ｉ）に記載の方法。
（ＩＩＩ）  ｎ1は少なくとも２である、（Ｉ）に記載の方法。
（ＩＶ）  ｎ1＝３〜９である、（Ｉ）に記載の方法。
（Ｖ）  ｎ1は奇数であり、ｎ1＝ｎ2＝ｎ3である、（Ｉ）に記載の方法。
（ＶＩ）  各印刷インクは、エレクトロルミネセンス材料および液体媒体を含む、（Ｉ）に記載の方法。
（ＶＩＩ）  ｒは少なくとも１であり、非印刷方法は、蒸着、熱転写、スピンコーティング、グラビアコーティング、カーテンコーティング、浸漬被覆、スロットダイコーティング、および吹き付け塗装からなる群から選択される、（Ｉ）に記載の方法。
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
感知領域の入力物体を感知するための入力装置であって、
複数の一次センサ電極からなるセット及び複数の二次センサ電極からなるセットを含む複数のセンサ電極であり、前記一次センサ電極の各々が前記二次センサ電極の少なくとも１つに電気的に接続されて複数のアドミタンスからなるセットを形成する、複数のセンサ電極と、
タッチ面と、
前記タッチ面と前記複数のセンサ電極との間に配置された感圧層であり、前記タッチ面に付与される圧力に応答して前記アドミタンスの少なくとも１つを変化させるように構成された感圧層と、
を備える入力装置。
【請求項２】
前記一次センサ電極及び前記二次センサ電極に接続されて、前記アドミタンスの値を決定するように構成された処理システムを更に備え、
この処理システムは、更に、前記アドミタンスの値に基づく前記感知領域における前記入力物体の位置情報と、少なくとも１つの前記値の変化に基づく前記入力物体の圧力情報と、のうちの少なくとも１つを決定するように構成される、請求項１に記載の入力装置。
【請求項３】
前記感圧層は、絶縁材料及び複数の感圧セグメントのうちの少なくとも１つを含む、請求項１又は２に記載の入力装置。
【請求項４】
前記アドミタンスのセットは、導電性アドミタンスのセット及びエラスティブアドミタンスのセットのうちの少なくとも１つを含む、請求項１又は２に記載の入力装置。
【請求項５】
複数のセンサ電極の第１部分である、複数の一次センサ電極からなるセットへ信号を送り、
前記複数のセンサ電極の第２部分である、複数の二次センサ電極からなるセットで前記信号を受信し、前記一次センサ電極の各々は前記二次センサ電極の少なくとも１つに電気的に接続されて複数のアドミタンスからなるセットを形成し、タッチ面と前記複数のセンサ電極との間に感圧層が配置され、この感圧層は、前記タッチ面上の入力物体によって前記感圧層に付与される圧力に応答して前記アドミタンスの少なくとも１つを変化させるように構成され、
前記受信した信号から前記アドミタンスの値を決定し、
前記アドミタンスの前記値から前記タッチ面上の前記入力物体に対する位置情報を決定し、
前記位置情報を表す出力を与える、
ように構成される処理システム。
【請求項６】
当該処理システムが、
前記アドミタンスの前記値から前記タッチ面上の前記入力物体に対する圧力情報を決定し、
前記圧力情報を表す出力を与える、
ように更に構成される、請求項５に記載の処理システム。
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
一次光を発するために第1の面に配置された一次光の光源と、
前記第1の面から距離をおいた第2の面に配置された光変換部であって、少なくとも前記一次光の一部を当該一次光の波長とは異なる波長の二次光へと変換するための光変換部と、
前記第1の面と前記第2の面との間に配置された光学構造部と、を有する、発光デバイスであって、
前記光学構造部は、当該光変換部からの前記二次光の一部が入力され、前記二次光の透過を可能にするために、前記二次光の一部を、前記第1の面へと向かう方向で且つ前記一次光の光源からは離れる方向へとリダイレクトする、発光デバイス。
【請求項２】
前記一次光の光源を少なくとも部分的に囲んでいるエリアを規定している前記第1の面へと向かう方向に前記二次光の一部がリダイレクトされるよう配向された複数の表面を前記光学構造部が有することを特徴とする、請求項１に記載の発光デバイス。
【請求項３】
前記光学構造部が屈折構造を有することを特徴とする、請求項１に記載の発光デバイス。
【請求項４】
前記光変換部と前記光学構造部とが一体化された立体を形成することを特徴とする、請求項１に記載の発光デバイス。
【請求項５】
前記光変換部が、前記一次光の光源を少なくとも部分的に囲んでいるコンポーネントに含まれていることを特徴とする、請求項１に記載の発光デバイス。
【請求項６】
前記コンポーネントがドーム形のコンポーネントであることを特徴とする、請求項５に記載の発光デバイス。
【請求項７】
前記コンポーネントがプラスチックか、セラミック材料か、又はシリコン材料を有することを特徴とする、請求項５に記載の発光デバイス。
【請求項８】
前記一次光の光源と前記光変換部との間にエアギャップを規定しているスペースを更に有する、請求項１に記載の発光デバイス。
【請求項９】
前記光学構造部によってリダイレクトされた前記二次光の一部を入力するための反射器を更に有する、請求項１に記載の発光デバイス。
【請求項１０】
前記反射器が、前記一次光の光源を少なくとも部分的に囲んでいる前記第1の面内に実質的に配置されているか、又は当該面と平行に配置されていることを特徴とする、請求項８に記載の発光デバイス。
【請求項１１】
前記一次光の光源が、前記一次光を生成するための1個以上の発光ダイオードを有することを特徴とし、前記光変換部が、前記二次光を生成するための少なくとも一つの蛍光体成分を有することを特徴とする、請求項１に記載の発光デバイス。
【請求項１２】
エリア又は部屋を照らすための照明装置であって、請求項１乃至１１の一つ以上に記載の発光デバイスと、当該発光デバイスを少なくとも部分的に封入している部材と、を有し、前記発光デバイスにより発された光を反射するための少なくとも一つの反射面を当該部材が有することを特徴とする、照明装置。
【請求項１３】
発光デバイスを製造する方法であって、
一次光を提供するための一次光の光源を担体上に提供するステップと、
少なくとも前記一次光の一部を当該一次光の波長とは異なる波長をもつ二次光に変換できる光変換部を前記担体から距離をおいて配置するステップと、
光学構造部を前記一次光の光源に面して提供するステップと、
を含み、前記光学構造部は、前記光変換部からの前記二次光の一部が入力され、前記二次光の一部を、前記担体へと向かう方向で且つ前記一次光の光源からは離れる方向へとリダイレクトするために配置されていることを特徴とする、方法。
【請求項１４】
前記光学構造部をコンポーネント中に設けるステップを更に含む請求項１３に記載の方法であって、複数の表面を設けるよう前記コンポーネントを加工することによって前記光学構造部が得られ、前記一次光の光源を少なくとも部分的に囲んでいるエリアを規定している第1の面へと向かう方向に前記二次光の一部がリダイレクトされるよう当該複数の表面が配向されていることを特徴とする、方法。